(57)【要約】【課題】歌唱採点機能による採点が正しく行われるかを判断するための情報を提示可能なカラオケ装置を提供する。【解決手段】操作端末から放音される採点テスト用楽曲の所定音量の音声を、当該操作端末から所定距離だけ離れた位置に配置されたマイクを介して取得する音声取得部、採点テスト用楽曲を再生する演奏処理部、取得した音声から抽出した音声データと、再生された採点テスト用楽曲のリファレンスデータとを比較することにより、採点値を算出する採点値算出部、算出した前記採点値を提示する提示部を有するカラオケ装置。【選択図】図３
2018189737.tif 000002
【特許請求の範囲】
【請求項１】
操作端末から放音される採点テスト用楽曲の所定音量の音声を、当該操作端末から所定距離だけ離れた位置に配置されたマイクを介して取得する音声取得部と、
前記採点テスト用楽曲を再生する演奏処理部と、
取得した前記音声から抽出した音声データと、再生された前記採点テスト用楽曲のリファレンスデータとを比較することにより、採点値を算出する採点値算出部と、
算出した前記採点値を提示する提示部と、
を有するカラオケ装置。
【請求項２】
前記提示部は、前記算出した採点値と比較するための基準採点値を併せて提示する、または前記算出した採点値と前記基準採点値との比較結果に基づく採点結果を提示することを特徴とする請求項１記載のカラオケ装置。
【請求項３】
前記所定音量は、前記基準採点値を設定した際に前記操作端末から出力された音量と等しく、前記所定距離は、前記基準採点値を設定した際の前記操作端末と前記マイクとの距離と等しいことを特徴とする請求項２記載のカラオケ装置。
【請求項４】
前記演奏処理部は、前記採点テスト用楽曲を再生する際に再生音を出力しないように制御することを特徴とする請求項１〜３のいずれか一つに記載のカラオケ装置。
【請求項５】
スピーカを有する操作端末、及びマイクを有するカラオケ装置を含むカラオケシステムであって、
前記操作端末は、
前記スピーカを介し、採点テスト用楽曲の音声を所定音量で放音させる放音処理部を有し、
前記カラオケ装置は、
前記操作端末から放音される前記音声を、前記操作端末から所定距離だけ離れた位置に配置された前記マイクを介して取得する音声取得部と、
前記採点テスト用楽曲を再生する演奏処理部と、
取得した前記音声から抽出した音声データと、再生された前記採点テスト用楽曲のリファレンスデータとを比較することにより、採点値を算出する採点値算出部と、
算出した前記採点値を提示する提示部と、
を有するカラオケシステム。
【発明の詳細な説明】
【技術分野】
【０００１】
本発明はカラオケ装置、及びカラオケシステムに関する。
【背景技術】
【０００２】
カラオケ装置は、マイクにより入力された歌唱音声から抽出した歌唱音声データと、カラオケ演奏された楽曲の主旋律を示すリファレンスデータとを比較することにより、カラオケ歌唱の採点を行うことができる。
【０００３】
たとえば、特許文献１には、カラオケ演奏に合わせてマイクから入力される歌唱音声信号から音高データ及び音長データを抽出し、カラオケ演奏に並行して読み出されるガイドメロディと比較することによって歌唱の巧拙を採点評価する技術が開示されている。
【先行技術文献】
【特許文献】
【０００４】
【特許文献１】特開平１０−６９２１６号公報
【発明の概要】
【発明が解決しようとする課題】
【０００５】
ところで、歌唱能力の高い、ある歌唱者（たとえばプロの歌手）が同じメーカ・機種のカラオケ装置で同じ楽曲を歌唱した場合であっても、別のカラオケルームに設置されたカラオケ装置であったり、同じ設置場所でも別の日に歌唱したりすると、採点結果が大きく異なることがある。これは、たとえば、歌唱音声のピッチや音量を検出する回路の故障・劣化や、カラオケ装置のマイク入力端子に接続されたワイヤレスマイクレシーバにおけるボリューム設定値が適当でない（デフォルト値に対して大き過ぎる、または小さ過ぎる）ことが原因である。
【０００６】
しかしながら、特許文献１のような従来の歌唱採点機能は、入力される歌唱音声とリファレンスデータとを単純に比較するものであり、歌唱採点機能による採点が正しく行われているか否かを確認することができない。
【０００７】
本発明の目的は、歌唱採点機能による採点が正しく行われるかを判断するための情報を提示可能なカラオケ装置及びカラオケシステムを提供することにある。
【課題を解決するための手段】
【０００８】
上記目的を達成するための一の発明は、操作端末から放音される採点テスト用楽曲の所定音量の音声を、当該操作端末から所定距離だけ離れた位置に配置されたマイクを介して取得する音声取得部と、前記採点テスト用楽曲を再生する演奏処理部と、取得した前記音声から抽出した音声データと、再生された前記採点テスト用楽曲のリファレンスデータとを比較することにより、採点値を算出する採点値算出部と、算出した前記採点値を提示する提示部と、を有するカラオケ装置である。
本発明の他の特徴については、後述する明細書及び図面の記載により明らかにする。
【発明の効果】
【０００９】
本発明によれば、従来のカラオケ装置及びリモコン装置に、最小限の機能と採点テスト用楽曲の楽曲データを追加することにより、歌唱採点機能による採点が正しく行われるかを判断するための情報を提示できる。
【図面の簡単な説明】
【００１０】
【図１】実施形態に係るカラオケシステムの概略を示す図である。
【図２】実施形態に係るカラオケ装置のハードウェア構成例を示す図である。
【図３】実施形態に係るカラオケ装置のソフトウェア構成例を示す図である。
【図４】実施形態に係るリモコン装置のハードウェア構成例を示す図である。
【図５】実施形態に係るカラオケシステムの処理を示すフローチャートである。
【発明を実施するための形態】
【００１１】
後述する明細書及び図面の記載から、上記の主たる発明の他、少なくとも以下の事項が明らかとなる。
【００１２】
すなわち、前記提示部が、前記算出した採点値と比較するための基準採点値を併せて提示する、または前記算出した採点値と前記基準採点値との比較結果に基づく採点結果を提示するカラオケ装置が明らかとなる。このようなカラオケ装置によれば、歌唱採点機能による採点が正しく行われるかをより正確に判断することが可能となる。
【００１３】
また、前記所定音量が、前記基準採点値を設定した際に前記操作端末から出力された音量と等しく、前記所定距離が、前記基準採点値を設定した際の前記操作端末と前記マイクとの距離と等しいカラオケ装置が明らかとなる。このようなカラオケ装置によれば、基準採点値と算出した採点値との比較を正確に行うことができる。
【００１４】
また、前記演奏処理部が、前記採点テスト用楽曲を再生する際に再生音を出力しないように制御するカラオケ装置が明らかとなる。このようなカラオケ装置によれば、採点値算出部においてより正確な採点値を算出することができる。
【００１５】
更に、スピーカを有する操作端末、及びマイクを有するカラオケ装置を含むカラオケシステムであって、前記操作端末は、前記スピーカを介し、採点テスト用楽曲の音声を所定音量で放音させる放音処理部を有し、前記カラオケ装置は、前記操作端末から放音される前記音声を、前記操作端末から所定距離だけ離れた位置に配置された前記マイクを介して取得する音声取得部と、前記採点テスト用楽曲を再生する演奏処理部と、取得した前記音声から抽出した音声データと、再生された前記採点テスト用楽曲のリファレンスデータとを比較することにより、採点値を算出する採点値算出部と、算出した前記採点値を提示する提示部と、を有するカラオケシステムが明らかとなる。このようなカラオケシステムによれば、歌唱採点機能による採点が正しく行われるかを判断するための情報を提示できる。
【００１６】
＜実施形態＞
図１〜図５を参照して、実施形態に係るカラオケシステム１０００について説明する。
【００１７】
＝＝カラオケシステム＝＝
図１に示すように、本実施形態に係るカラオケシステム１０００は、カラオケ装置１及びリモコン装置５０を含む。
【００１８】
カラオケ装置１は、カラオケ楽曲の演奏、及び歌唱者がカラオケ歌唱を行うための装置である。
【００１９】
カラオケ装置１は、カラオケ本体１０、スピーカ２０、表示装置３０、及びマイク４０を含む。カラオケ本体１０は、選曲されたカラオケ楽曲の演奏制御、歌詞や背景映像等の表示制御といった、カラオケ歌唱に関する各種の制御を行う。スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の音声をカラオケ本体１０に入力するための構成である。また、本実施形態において、マイク４０は、リモコン装置５０から放音される採点テスト用楽曲の所定音量の音声をカラオケ本体１０に入力するために利用される（詳細は後述）。
【００２０】
リモコン装置５０は、カラオケ装置１と通信可能に接続（ペアリング）されている。リモコン装置５０は、カラオケ装置１に対する各種操作を行うための装置である。リモコン装置５０の表示画面には各種操作の指示入力を行うためのアイコン等が表示される。本実施形態におけるリモコン装置５０は「操作端末」の一例である。
【００２１】
ここで、本実施形態に係るカラオケシステム１は、採点テストを行うことができる。採点テストは、あるカラオケ装置において、歌唱採点機能による採点が正しく行われるか否かを確認するためのテストである。カラオケシステム１において採点テストを行う際の具体的な処理は後述する。
【００２２】
＝＝カラオケ本体＝＝
［ハードウェア構成］
図２に示すように、カラオケ本体１０は、制御部１１、通信部１２、記憶部１３、音響処理部１４、表示処理部１５、及び操作部１６を備える。各構成はインターフェース（図示なし）を介してバスＢに接続されている。
【００２３】
（制御部）
制御部１１は、カラオケ本体１０の各種処理を制御する。制御部１１は、ＣＰＵおよびメモリ（いずれも図示なし）を備える。ＣＰＵは、メモリに記憶された動作プログラムを実行することにより各種の制御機能を実現する。
【００２４】
（通信部）
通信部１２は、ルータ（図示なし）を介してカラオケ本体１０をリモコン装置５０と接続するためのインターフェースを提供する。
【００２５】
（記憶部）
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２６】
楽曲データは、個々の楽曲を特定するための識別情報（楽曲ＩＤ）が付与されている。楽曲データは、伴奏データ、リファレンスデータ等を含む。伴奏データは、カラオケ演奏音の元となるＭＩＤＩ形式のデータである。リファレンスデータは、歌唱者によるカラオケ歌唱を採点する際の基準として用いられるデータである。また、記憶部１３は、各楽曲に対応する歌詞テロップを提示するための各種情報を含む歌詞テロップデータ、カラオケ演奏時に合わせて表示装置３０等に表示される背景画像に対応する背景画像データ、及び楽曲の属性情報（曲名、歌手名、作詞・作曲者名、及びジャンル等の当該楽曲に関する情報）を記憶する。
【００２７】
また、本実施形態において、記憶部１３は、採点テスト用楽曲、及び基準採点値を記憶している。
【００２８】
採点テスト用楽曲は、採点テストの際に使用する楽曲である。採点テスト用楽曲は、通常の楽曲データに加え、リファレンスデータを音声ファイル形式に変換したボーカル音声データを含む。なお、このボーカル音声データを含んだ採点テスト用楽曲の楽曲データをリモコン装置５０に予め記憶させておく場合は、カラオケ装置１に記憶される採点テスト用楽曲の楽曲データにボーカル音声データを含めなくてもよい。
【００２９】
通常の楽曲を採点テストで使用すると、伴奏音をマイク４０が集音することにより採点値に影響を与える可能性がある。従って、採点テスト用楽曲を再生する際に再生音をスピーカ２０から放音しないことが好ましい。採点テスト用楽曲のリファレンスデータは、リモコン装置５０から放音されるボーカル音声データに基づく音声と比較して採点値を求める際の基準となるデータである。
【００３０】
基準採点値は、算出した採点値と比較するための値であり、あるカラオケ装置において歌唱採点機能による採点が正しく行われるかを判断する際に利用できる。基準採点値は、各カラオケ装置に対して共通で用いられる値である。従って、基準採点値と算出した採点値とを比較することで、当該カラオケ装置の歌唱採点機能による採点が正しく行われているかどうかを判断できる。基準採点値は、リモコン装置５０から所定の音量で放音させた採点テスト用楽曲の音声を所定の距離だけ離れた位置に配置されたマイク４０で集音し、カラオケ装置１で当該音声から抽出した音声データと、採点テスト用楽曲のリファレンスデータとを比較することにより算出される値である。
【００３１】
（音響処理部）
音響処理部１４は、制御部１１の制御に基づき、カラオケ楽曲に対する演奏の制御およびマイク４０を通じて入力された歌唱音声信号の処理を行う。表示処理部１５は、制御部１１の制御に基づき、表示装置３０における各種表示に関する処理を行う。操作部１６は、パネルスイッチおよびリモコン受信回路などからなり、歌唱者によるカラオケ本体１０のパネルスイッチあるいはリモコン装置ＲＣの操作に応じて選曲信号、演奏中止信号などの操作信号を制御部１１に対して出力する。制御部１１は、操作部１６からの操作信号を検出し、対応する処理を実行する。
【００３２】
［カラオケ本体のソフトウェア構成］
図３はカラオケ本体１０のソフトウェア構成例を示す図である。カラオケ本体１０は、演奏処理部１００、音声取得部２００、採点値算出部３００、及び提示部４００を備える。演奏処理部１００、音声取得部２００、採点値算出部３００、及び提示部４００は、制御部１１のＣＰＵがメモリに記憶されるプログラムを実行することにより実現される。
【００３３】
（演奏処理部）
演奏処理部１００は、伴奏データに基づいてカラオケ演奏を行う。たとえば、演奏処理部１００は、あるカラオケ楽曲の楽曲ＩＤの入力を受けると、当該楽曲ＩＤに対応する楽曲データを記憶部１３から読み出し、当該カラオケ楽曲のカラオケ演奏を行う。
【００３４】
また、本実施形態に係る演奏処理部１００は、採点テスト用楽曲を再生する。
【００３５】
具体例として、カラオケ事業者の営業マンや店舗の従業員等、採点テストを行う者（以下「作業者」という）が、リモコン装置５０の表示画面に表示されたメニュー画面から「採点テスト」ボタンを押下すると、リモコン装置５０は、カラオケ装置１に対して採点テスト用楽曲の楽曲ＩＤを送信する。
【００３６】
演奏処理部１００は、リモコン装置５０から受信した楽曲ＩＤを予約待ち行列に登録し、当該楽曲ＩＤに対応する採点テスト用楽曲の楽曲データを記憶部１３から読み出して再生待機状態とする。この際、演奏処理部１００は、他のカラオケ楽曲（カラオケ歌唱用の楽曲）の予約を禁止することも可能である。
【００３７】
また、演奏処理部１００は、表示装置３０の表示画面に採点テストを行う際の準備情報を提示してもよい。準備情報は、たとえば、マイク４０の電源オンオフを確認するコメント（例：マイクの電源をオンにしてください）、リモコン装置５０（スピーカ５５。図３参照）とマイク４０との配置に関する情報（例：リモコン装置のスピーカから２ｃｍの距離にマイクを配置してください）、配置完了後の作業を指示するコメント（例：配置が完了したら、リモコン装置のメニュー画面で「配置完了」アイコンを選択してください）である。また、リモコン装置５０とマイク４０との配置を視覚的に認識しやすくするため、演奏処理部１００は、マイク４０のヘッドケースがリモコン装置５０のスピーカ５５に向いているような画像を表示させることも可能である。
【００３８】
また、上述の通り、基準採点値を算出した時の条件と、採点テストを実施する条件を同じにするために、採点テストにおけるマイク４０とリモコン装置５０のスピーカ５５との距離は、基準採点値を算出した時の距離と同じ値とする。基準採点値を算出した時のマイク４０とリモコン装置５０との距離は、「所定距離」に相当する。なお、カラオケ本体１０と接続される歌唱者撮影用のカメラがカラオケルームに設置されている場合、このカメラを利用して、マイク４０とリモコン装置５０との距離が正しく配置されたことを検出し、その旨を報知する構成としてもよい。
【００３９】
作業者は、上記準備情報、或いはカラオケシステム１のマニュアル等を参照しながら、マイク４０をリモコン装置５０から所定距離だけ離れた位置に配置した後、リモコン装置５０のメニュー画面に表示されている配置完了ボタンを押下する。リモコン装置５０は配置完了コマンドを演奏処理部１００に送信する。
【００４０】
演奏処理部１００は、配置完了コマンドを受信した場合、演奏待ち状態にあった採点テスト用楽曲の再生を開始する。その際、演奏処理部１００は、採点テスト用楽曲に含まれる伴奏データ等に基づく再生音を出力しないように、音響処理部１４を制御する。
【００４１】
なお、この際、演奏処理部１００は、採点テスト用楽曲の再生と、リモコン装置５０からの音声の放音のタイミングを同期するための同期信号をリモコン装置５０に対して送信する。同期信号は、たとえば、放音のタイミングと、採点テスト用楽曲の再生のタイミングとを一致させるためのタイミングデータ、及び放音のテンポと採点テスト用楽曲の再生テンポを一致させるためのテンポデータを含む。
【００４２】
また、演奏処理部１００は、採点テスト用楽曲の楽曲ＩＤを受信した後に、所定期間内に配置完了コマンドが受信されない場合、読み出した採点テスト用楽曲データと、予約待ち行列に登録している採点テスト用楽曲の楽曲ＩＤを削除する。また、演奏処理部１００は、改めて採点テストを行なう場合は、リモコン装置５０から「採点チェック」ボタンの押下が再度必要である旨を表示装置３０等に表示させ、他のカラオケ楽曲の予約が可能となるようにしてもよい。
【００４３】
（音声取得部）
音声取得部２００は、リモコン装置５０から放音される採点テスト用楽曲の所定音量の音声を、リモコン装置５０から所定距離の位置に配置されたマイク４０を介して取得する。
【００４４】
リモコン装置５０は、演奏処理部１００による採点テスト用楽曲の再生に伴って、採点テスト用楽曲の音声を所定音量で出力する（詳細は後述）。
【００４５】
音声取得部２００は、マイク４０を介して、リモコン装置５０から放音される音声を取得する。音声取得部２００は、取得した音声から音高や音量等の音声データを抽出し、採点値算出部３００に出力する。
【００４６】
（採点値算出部）
採点値算出部３００は、取得した音声から抽出した音声データと、再生された採点テスト用楽曲のリファレンスデータとを比較することにより、採点値を算出する。
【００４７】
ここで、採点値算出部３００で比較される音声データ及びリファレンスデータは、同一の採点テスト用楽曲に基づくものである。従って、通常であればこれらのデータは一致するため、カラオケ採点機能が正しく機能している場合には採点値が１００点（または、ほぼそれに近い値）となるはずである。一方、何らかの原因によりカラオケ採点機能が正しく機能していない場合には、音声データとリファレンスデータとの差異が生じるため、算出される採点値が低い値となる。
【００４８】
そこで、採点値算出部３００は、取得した音声から抽出した音声データと、採点テスト用楽曲の演奏進行に基づいて読み出したリファレンスデータとを比較し、それぞれのピッチや音量を比較して採点処理を行う。
【００４９】
採点値算出部３００は、たとえば、採点テスト用楽曲の再生後、得られた音声データとリファレンスデータとを比較し、採点値を算出する。或いは、採点値算出部３００は、所定の演奏区間の音声データが入力される毎に、対応する演奏区間のリファレンスデータと比較・採点を行い、採点テスト用楽曲の再生後に算出された各演奏区間の採点値を平均した値を採点値として算出する。採点値算出部３００は、算出した採点値を提示部４００に出力する。
【００５０】
（提示部）
提示部４００は、算出した採点値を提示する。たとえば、提示部４００は、算出した採点値を表示装置３０の表示画面に表示させる。
【００５１】
また、提示部４００は、算出した採点値と基準採点値とを併せて提示することも可能である。この場合、提示部４００は、算出した採点値を表示させる際、記憶部１３から基準採点値を読み出して並列で表示させる。或いは、提示部４００は、算出した採点値と基準採点値との比較結果に基づく採点結果を提示することでもよい。たとえば、提示部４００は、算出した採点値と基準採点値との差分を取り、その差分値を表示させる。
【００５２】
なお、算出した採点値の提示は、音声によって行ってもよい。たとえば、提示部４００は、スピーカ２０を介し、算出した採点値を放音させることで、作業者に対して提示することも可能である。或いは、提示部４００は、リモコン装置５０に対して算出した採点値を送信し、リモコン装置５０の表示画面において提示させることも可能である。
【００５３】
また、提示部４００は、採点値算出部３００が算出したリファレンスデータに含まれる特定の音域毎の採点値を提示してもよい。この場合、記憶部１３に記憶された基準採点値と共に、予め各カラオケ装置１に対して共通で用いられる値である基準音域別採点値も記憶しておき、この基準音域別採点値と、算出された特定の音域毎の採点値を比較することで、音声経路の周波数特性上の不具合を報知することができる。
【００５４】
＝＝リモコン装置＝＝
［ハードウェア構成］
図４はリモコン装置５０のハードウェア構成例を示す図である。リモコン装置５０は、記憶部５１、通信部５２、表示部５３、操作部５４、スピーカ５５及び制御部５６を備える。
【００５５】
記憶部５１は、各種のデータを記憶する大容量の記憶装置である。記憶部５１は、楽曲を選曲する際に使用する目次リストや、各楽曲に対して予め設定されている演奏条件等を記憶している。また、本実施形態に係る記憶部５１は、カラオケ本体１０の記憶部１３に記憶された採点テスト用楽曲の楽曲データのうち、少なくともリファレンスデータに基づくボーカル音声データを記憶している。
【００５６】
通信部５２は、リモコン装置５０とカラオケ本体１０とを接続するためのインターフェースを提供する。表示部５３はカラオケ楽曲の検索画面や採点テストのメニュー画面等、各種表示を行うための構成である。操作部５４は、リモコン装置５０に対して各種入力を行うための構成である。操作部５４は、リモコン装置５０のハードウェア上に設けられるボタン等であってもよいし、表示部５３に表示されるアイコンであってもよい。操作部５４を介して行われた指示入力は、指示コマンドとして通信部５２を介してカラオケ装置１に送信される。スピーカ５５は、制御部５６からの指示に基づいて、所定の音声を放音するための構成である。
【００５７】
制御部５６は、リモコン装置５０における各種の制御を行う。制御部５６は、ＣＰＵおよびメモリ（いずれも図示無し）を備える。ＣＰＵは、メモリに記憶されたプログラムを実行することにより各種の機能を実現する。
【００５８】
本実施形態において、制御部５６は、放音処理部５６ａを有する。放音処理部５６ａは、スピーカ５５を介し、採点テスト用楽曲の音声を所定音量で放音させる。
【００５９】
具体的には、放音処理部５６ａは、記憶部５１から採点テスト用楽曲の楽曲データを読み出し、カラオケ装置１から送信された同期信号に含まれるタイミングデータに基づいて、カラオケ装置１における採点テスト用楽曲の再生と同じタイミング、且つ同期信号に含まれるテンポデータに基づいて、カラオケ装置１における採点テスト用楽曲の再生と同じテンポでボーカル音声データに基づく音声の放音を開始する。
【００６０】
この際、基準採点値を算出した時の条件と、採点テストを実施する条件を同じにするために、リモコン装置５０から出力される所定音量は、基準となる採点値を算出した時の音量とする。
【００６１】
なお、採点テスト用楽曲を記憶部５１に予め記憶させておく代わりに、採点テストの指示がある都度、カラオケ装置１からリモコン装置５０に対して、採点テスト用楽曲の楽曲データを送信することも可能である。たとえば、作業者がリモコン装置５０の表示画面に表示されたメニュー画面から「採点テスト」ボタンを押下すると、リモコン装置５０は、カラオケ装置１に対して採点テスト用楽曲の楽曲ＩＤを送信する。カラオケ装置１は、当該楽曲ＩＤに対応する楽曲データを記憶部１３から読み出し、リモコン装置５０に送信する。
【００６２】
また、放音処理部５６ａが放音させる音声は、カラオケ装置１から採点テスト用楽曲の再生に伴って送信される採点テスト用楽曲のボーカル音声データをストリーミングにてそのまま出力したものであってもよい。
【００６３】
＝＝カラオケシステムにおける処理について＝＝
次に、図５を参照して本実施形態に係るカラオケシステム１０００における処理について述べる。図５は、カラオケシステム１０００における処理例を示すフローチャートである。
【００６４】
作業者は、リモコン装置５０を介して採点テストの指示入力を行う。リモコン装置５０は、採点テスト用楽曲の楽曲ＩＤをカラオケ装置１に送信する（採点テスト用楽曲の楽曲ＩＤを送信。ステップ１０）。
【００６５】
演奏処理部１００は、ステップ１０で送信された楽曲ＩＤに対応する採点テスト用楽曲を記憶部１３から読み出して、予約待ち行列に登録する（採点テスト用楽曲の予約。ステップ１１）。
【００６６】
作業者は、リモコン装置５０とマイク４０とが所定距離となるように位置を調整した後、調整完了の入力を行う。リモコン装置５０は、位置調整が完了した旨の信号をカラオケ装置１に送信する（リモコン装置とマイクとの位置調整が完了。ステップ１２）。
【００６７】
演奏処理部１００は、同期信号をリモコン装置５０に送信しつつ、採点テスト用楽曲の再生を開始する（採点テスト用楽曲を再生。ステップ１３）。
【００６８】
一方、放音処理部５６ａは、記憶部５１から採点テスト用楽曲の楽曲データを読み出し、演奏処理部１００から受信した同期信号に基づいてスピーカ５５から音声を所定の音量で放音させる（所定音量で音声を放音。ステップ１４）。
【００６９】
音声取得部２００は、マイク４０を介してステップ１４で放音される音声を取得する（音声の取得。ステップ１５）。
【００７０】
採点値算出部３００は、ステップ１５で取得した音声から抽出した音声データと、ステップ１３で再生された採点テスト用楽曲のリファレンスデータとを比較することにより、採点値を算出する（採点値の算出。ステップ１６）。
【００７１】
提示部４００は、ステップ１６で算出した採点値を提示する（採点値の提示。ステップ１７）。
【００７２】
このように、本実施形態に係るカラオケシステム１０００は、リモコン装置５０及びカラオケ装置１を含む。リモコン装置５０は、スピーカ５５を介し、採点テスト用楽曲の音声を所定音量で放音させる放音処理部５６ａを有する。カラオケ装置１は、採点テスト用楽曲を再生する演奏処理部１００と、リモコン装置５０から放音される採点テスト用楽曲の所定音量の音声を、リモコン装置５０から所定距離だけ離れた位置に配置されたマイク４０を介して取得する音声取得部２００と、取得した音声から抽出した音声データと、再生された採点テスト用楽曲のリファレンスデータとを比較することにより、採点値を算出する採点値算出部３００と、算出した採点値を提示する提示部４００と、を有する。
【００７３】
リモコン装置５０から放音される音声の元となる採点テスト用楽曲と、カラオケ装置１で再生される採点テスト用楽曲とは同一である。上述の通り、カラオケ採点機能が正しく機能している場合、採点値は１００点かそれに近い値となる。よって、作業者は表示された採点値を確認することにより、歌唱採点機能による採点が正しいかどうかを確認できる。すなわち、本実施形態に係るカラオケシステム１０００によれば、従来のカラオケ装置及びリモコン装置に、最小限の機能と採点テスト用楽曲の楽曲データを追加することにより、歌唱採点機能による採点が正しく行われているかを判断するための情報を提示できる。
【００７４】
また、提示部４００は、算出した採点値と比較するための基準採点値を併せて提示する、または算出した採点値と基準採点値との比較結果に基づく採点結果を提示することが可能である。このように、採点値と併せて基準採点値と採点値を提示したり、基準採点値と採点値を比較した結果を提示することにより、歌唱採点機能による採点が正しく行われるかをより正確に判断することができる。
【００７５】
また、所定音量は、基準採点値を設定した際にリモコン装置５０から出力された音量と等しく、所定距離は、基準採点値を設定した際のリモコン装置５０とマイク４０との距離と等しい。このように所定音量及び所定距離を設定することにより、基準採点値を設定した際と同じ条件で音声取得を行うことができる。従って、算出した採点値と基準採点値との比較を正確に行うことができる。
【００７６】
また、演奏処理部１００は、採点テスト用楽曲を再生する際に再生音を出力しないように制御することにより、カラオケ装置１で楽曲を再生したとしても伴奏音が放音されることが無い。よって、採点テスト中にマイク４０で伴奏音を集音することが無いため、採点処理に影響を与えることが無い。すなわち、採点値算出部３００において、より正確な採点値を算出することができる。
【００７７】
＜その他＞
上記実施形態におけるリモコン装置５０の代わりに、作業者が所有する携帯端末で同様の機能を実現することでもよい。この場合、予めダウンロードされた専用アプリケーションソフトウェアを実行することにより、携帯端末においてリモコン装置と同様の処理が可能となる。この場合の携帯端末は「操作端末」に相当する。また、携帯端末及びカラオケ装置１が「カラオケシステム」を構成する。
【００７８】
なお、携帯端末からカラオケ装置１に対して各種の操作を行う際には、専用アプリケーションソフトウェアを実行している携帯端末と、カラオケ装置１とをペアリングすることにより行うことができるようになる。ペアリングとは、所定の携帯端末と所定のカラオケ装置とが通信可能となるように、サーバ装置（図示無し）等で関連付けを行うことをいう。
【００７９】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８０】
１  カラオケ装置
１０  カラオケ本体
５０  リモコン装置
１００  演奏処理部
２００  音声取得部
３００  採点値算出部
４００  提示部
１０００  カラオケシステム
【図１】
2018189737.tif 000003
【図２】
2018189737.tif 000004
【図３】
2018189737.tif 000005
【図４】
2018189737.tif 000006
【図５】
2018189737.tif 000007